(57)【特許請求の範囲】
【請求項１】
電子メール機能を有する電話端末であって、
電子メールアドレスと電話番号との対応関係が記憶されたアドレス情報記憶手段と、
通話状態において、表示中の電子メールに記述されている電子メールアドレスの選択操作が行われたならば、当該選択操作をメール表示指示として受け付けるメール表示指示受付手段と、
前記メール表示指示受付手段による前記メール表示指示の受付の際に選択された電子メールアドレスに対応付けられて前記アドレス情報記憶手段に記憶されている電話番号を検索する番号検索手段と、
前記メール表示指示受付手段により前記メール表示指示を受け付けた場合に、前記番号検索手段により検索された電話番号が前記通話中の相手端末の電話番号と一致するならば、前記表示中の電子メールから当該電子メールの識別情報を抽出し、一致しないならば、当該電子メールの識別情報を抽出することなく所定のエラー処理を実施する識別情報抽出手段と、
前記識別情報抽出手段により抽出された前記電子メールの識別情報の指定を伴うメール表示要求を通話中の相手端末に送信するメール表示要求手段と、
過去に送受信した電子メールを記憶する電子メール記憶手段と、
前記相手端末から前記メール表示要求を受信した場合に、前記電子メール記憶手段から、当該メール表示要求で指定されている前記識別情報が付与された電子メールを検索するメール検索手段と、
前記メール検索手段により前記電子メールが検索された場合に、当該電子メールを表示するメール表示手段と、を有する
ことを特徴とする電話端末。
【請求項２】
請求項１に記載の電話端末であって、
前記メール検索手段により、前記メール表示要求で指定されている前記識別情報が付与された電子メールを、前記電子メール記憶手段から検索できなかった場合に、当該メール表示要求の送信元である前記相手端末にメール再送要求を送信して、前記相手端末から電子メールを受信するメール再送要求手段と、
前記メール表示要求手段により前記メール表示要求を送信した場合に、当該メール表示要求の送信先である前記相手端末から前記メール再送要求を受信したならば、前記表示中の電子メールを前記相手端末に送信するメール再送手段と、をさらに有し、
前記メール表示手段は、
前記メール再送要求手段により前記相手端末から前記電子メールを受信した場合に、当該電子メールを表示する
ことを特徴とする電話端末。
【請求項３】
請求項１または２に記載の電話端末であって、
前記メール表示要求手段は、
前記相手端末との間に確立されている通話路を介して前記メール表示要求を当該相手端末に送信する
ことを特徴とする電話端末。
【請求項４】
電子メール機能を有する電話端末間で同一の電子メールを表示する電子メールの表示方法であって
一方が電子メールを表示中の前記電話端末間に通話路が確立されている場合において、
電子メールを表示中の一方の電話端末は、当該電子メールに記述されている電子メールアドレスの選択操作を受け付けた場合に、当該選択された電子メールアドレスに対応付けられて予め記憶されている電話番号が通話相手である他方の電話端末の電話番号と一致するならば、当該電子メールの識別情報の指定を伴うメール表示要求を前記他方の電話端末に送信し、一致しないならば、前記メール表示要求を前記他方の電話端末に送信することなく所定のエラー処理を実施し、
前記他方の電話端末は、前記一方の電話端末より前記メール表示要求を受信した場合に、当該メール表示要求で指定されている識別情報に対応付けられている電子メールを、過去に送受信した電子メールのなかから検索して表示する
ことを特徴とする電子メール表示方法。
【発明の詳細な説明】
【技術分野】
【０００１】
本発明は、電子メール機能を備えた電話端末に関し、特に、この電話端末における電子メールの表示技術に関する。
【背景技術】
【０００２】
特許文献１には、電子メールの添付ファイルを自動再生することで、ユーザの手間を軽減し、マンマシンインターフェースを向上させることが可能な電子メールシステムが開示されている。
【０００３】
この電子メールシステムにおいて、送信側のメール端末は、添付ファイルを自動再生する制御情報を、この添付ファイルが添付された電子メールに付加して送信し、受信側のメール端末は、受信した電子メールの添付ファイルを、この電子メールに付加されている制御情報に基づいて自動再生する。
【先行技術文献】
【特許文献】
【０００４】
【特許文献１】特開２００１−１４７８７１号公報
【発明の概要】
【発明が解決しようとする課題】
【０００５】
ところで、過去に受信した電子メールの内容について電話で確認、問合せをしたい場合がある。このような場合、通常は、確認、問合せをしたい電子メールの件名、送信日時等を電話で通話相手に連絡して、自分宛てに送信した電子メールのなかから、該当する電子メールを探してもらう必要がある。このため、通話相手の作業負担が大きい。なお、特許文献１に記載の技術を利用して、確認、問合せをしたい電子メールのメール本文を通話相手側で自動再生させることが可能である。しかし、この場合は、確認、問合せをしたい電子メールのメール本文が添付ファイルとして添付された電子メールを作成して、通話相手に送信しなければならず、自身の作業負担が大きい。
【０００６】
本発明は上記事情に鑑みてなされたものであり、その目的は、過去にやり取りした電子メールの内容を電話の通話相手と共有する際の利便性を向上させることが可能な技術を提供することにある。
【課題を解決するための手段】
【０００７】
上記課題を解決するために、本発明は、電子メール機能を有する電話端末間で同一の電子メールの内容を表示する。電話端末間に通話路が確立されている場合に、電子メールの内容を表示中の一方の電話端末が、この電子メールの識別情報の指定を伴うメール表示要求を、この電子メールの送信元あるいは送信先である他方の電話端末に送信し、他方の電話端末が、一方の電話端末より受信したメール表示要求で指定されている識別情報に対応付けられる電子メールを、過去に送受信した電子メールのなかから検索して表示する。
【０００８】
例えば、電子メール機能を有する電話端末であって、
電子メールアドレスと電話番号との対応関係が記憶されたアドレス情報記憶手段と、
通話状態において、表示中の電子メールに記述されている電子メールアドレスの選択操作が行われたならば、当該選択操作をメール表示指示として受け付けるメール表示指示受付手段と、
前記メール表示指示受付手段による前記メール表示指示の受付の際に選択された電子メールアドレスに対応付けられて前記アドレス情報記憶手段に記憶されている電話番号を検索する番号検索手段と、
前記メール表示指示受付手段により前記メール表示指示を受け付けた場合に、前記番号検索手段により検索された電話番号が前記通話中の相手端末の電話番号と一致するならば、前記表示中の電子メールから当該電子メールの識別情報を抽出し、一致しないならば、当該電子メールの識別情報を抽出することなく所定のエラー処理を実施する識別情報抽出手段と、
前記識別情報抽出手段により抽出された前記電子メールの識別情報の指定を伴うメール表示要求を通話中の相手端末に送信するメール表示要求手段と、
過去に送受信した電子メールを記憶する電子メール記憶手段と、
前記相手端末から前記メール表示要求を受信した場合に、前記電子メール記憶手段から、当該メール表示要求で指定されている前記識別情報が付与された電子メールを検索するメール検索手段と、
前記メール検索手段により前記電子メールが検索された場合に、当該電子メールを表示するメール表示手段と、を有する。
【発明の効果】
【０００９】
本発明において、操作者は、電話端末に電子メールの内容を表示させながら通話している場合に、簡単な操作で、通話相手の電話端末に、この電子メールと同じ電子メールの内容を表示させることができる。したがって、過去にやり取りした電子メールの内容を電話の通話相手と共有する際の利便性を向上させることが可能となる。
【図面の簡単な説明】
【００１０】
【図１】図１（Ａ）は、本発明の一実施の形態に係るＩＰ電話端末１間において、非通話状態から同じ電子メールの内容を表示するまでの動作の流れを説明するためのシーケンス図であり、図１（Ｂ）は、本発明の一実施の形態に係る通話状態のＩＰ電話端末１間において、同じ電子メールの内容を表示するまでの動作の流れを説明するためのシーケンス図である。
【図２】図２は、ＩＰ電話端末１の概略機能構成図である。
【図３】図３は、ＩＰ電話端末１が通話相手と電子メールの情報を共有するための動作を説明するためのフロー図である。
【発明を実施するための形態】
【００１１】
以下に、本発明の一実施の形態について説明する。
【００１２】
本実施の形態に係るＩＰ電話端末１−１、１−２（以下、単にＩＰ電話端末１とも称する）は、電子メール機能を有しており、一方のＩＰ電話端末１の操作者の簡単な操作により、通話中に同じ電子メールの内容を表示して電子メールの情報を共有する。
【００１３】
図１は、本実施の形態に係るＩＰ電話端末１−１、１−２間の動作を説明するためのシーケンスを示しており、図１（Ａ）は、非通話状態からＩＰ電話端末１−１、１−２間で同じ電子メールの内容を表示するまでの動作の流れを説明するためのシーケンス図、そして図１（Ｂ）は、通話状態からＩＰ電話端末１−１、１−２間で同じ電子メールの内容を表示するまでの動作の流れを説明するためのシーケンス図である。
【００１４】
まず、図１（Ａ）を用いて、非通話状態からＩＰ電話端末１−１、１−２間で同じ電子メールの内容を表示するまでの動作の流れを説明する。
【００１５】
図示するように、ＩＰ電話端末１−１、１−２間が非通話状態において、ＩＰ電話端末１−２のディスプレイに電子メールの内容（ヘッダ、メール本文等の、電子メールに含まれている情報）が表示されているものとする（Ｓ１００）。ＩＰ電話端末１−２は、操作者より、表示中の電子メールに記述されている電子メールアドレスの選択操作を受け付けると（Ｓ１０１）、電子メールアドレスに対応付けられて記憶された複数の電話番号のなかから、この選択された電子メールアドレスに対応する電話番号を検索する（Ｓ１０２）。そして、この電話番号を送信先番号とする接続要求メッセージをＩＰ網２へ送信する。この接続要求メッセージは、ＩＰ網２を介して、この電話番号が付与されたＩＰ電話端末１−１へ送信される（Ｓ１０３）。
【００１６】
つぎに、ＩＰ電話端末１−１は、ＩＰ電話端末１−２から受信した接続要求メッセージに対して操作者から応答操作を受け付けると（Ｓ１０４）、応答メッセージを返信する（Ｓ１０５）。これにより、ＩＰ網２を介してＩＰ電話端末１−１、１−２間に通話路が確立される（Ｓ１０６）。
【００１７】
つぎに、ＩＰ電話端末１−２は、通話路が確立されたことを確認すると、表示中の電子メールから識別情報を抽出する（Ｓ１０７）。ここでは、電子メールのヘッダに記述されているメッセージＩＤ（Ｍｅｓｓａｇｅ−ＩＤ）を電子メールの識別情報として抽出する。それから、ＩＰ電話端末１−２は、抽出した識別情報の指定を伴うメール表示要求を生成し、このメール表示要求を、ＤＴＭＦ（Ｄｕａｌ−Ｔｏｎｅ  Ｍｕｌｔｉ−Ｆｒｅｑｕｅｎｃｙ）信号に変換して通話路経由でＩＰ電話端末１−１に送信する（Ｓ１０８）。
【００１８】
ＩＰ電話端末１−１は、通話路を介してＩＰ電話端末１−２からメール表示要求を受信すると、ＩＰ電話端末１−１に保存されている、ＩＰ電話端末１−１が過去に送受信した電子メールのなかから、メール表示要求で指定された識別情報が付与されている電子メールを検索する（Ｓ１０９）。そして、検索した電子メールの内容を表示する（Ｓ１１０）。ＩＰ電話端末１−１は、メール表示要求で指定された識別情報が付与されている電子メールを検索したら、この電子メールの内容の表示に先立ち、この電子メールのヘッダに含まれる属性情報（メッセージＩＤ、送信先、送信元、件名、送信日時等）を表示し、ＩＰ電話端末１−１の操作者に表示許可を求めるようにしてもよい。以上により、通話中のＩＰ電話端末１−１、１−２間において、同じ電子メールの内容が表示され、通話中の双方のＩＰ電話端末の操作者間で共通の電子メールの情報が共有される。
【００１９】
その後、ＩＰ電話端末１−１の操作者あるいはＩＰ電話端末１−２の操作者の終話操作によって、ＩＰ電話端末１−１、１−２間の通話路が切断されると（Ｓ１１１）、ＩＰ電話端末１−１、１−２は、電子メールの表示を終了する（Ｓ１１２、Ｓ１１３）。
【００２０】
つぎに、図１（Ｂ）を用いて、通話状態のＩＰ電話端末１−１、１−２間で同じ電子メールの内容を表示するための動作の流れを説明する。
【００２１】
図示するように、ＩＰ網２を介してＩＰ電話端末１−１、１−２間に通話路が確立され、ＩＰ電話端末１−１、１−２が通話状態にある場合において（Ｓ１２０）、ＩＰ電話端末１−１が、操作者より、表示する電子メールの選択操作を受け付けたものとする（Ｓ１２１）。これを受けて、ＩＰ電話端末１−１は、選択された電子メールの内容をディスプレイに表示する（Ｓ１２２）。
【００２２】
つぎに、ＩＰ電話端末１−１は、操作者より、表示中の電子メールに記述されている電子メールアドレスの選択操作を受け付けると（Ｓ１２３）、電子メールアドレスに対応付けられて記憶された複数の電話番号のなかから、この選択された電子メールアドレスに対応する電話番号を検索する（Ｓ１２４）。そして、この検索した電話番号が通話中のＩＰ電話端末１−２の電話番号と一致することを確認したならば（Ｓ１２５）、表示中の電子メールから識別情報を抽出する（Ｓ１２６）。それから、ＩＰ電話端末１−１は、抽出した識別情報の指定を伴うメール表示要求を生成し、このメール表示要求を、ＤＴＭＦ信号に変換して通話路経由でＩＰ電話端末１−２に送信する（Ｓ１２７）。
【００２３】
ＩＰ電話端末１−２は、通話路を介してＩＰ電話端末１−１からメール表示要求を受信すると、ＩＰ電話端末１−２に保存されている、ＩＰ電話端末１−２が過去に送受信した電信メールのなかから、メール表示要求で指定された識別情報が付与されている電子メールを検索する（Ｓ１２８）。そして、検索した電子メールの内容をディスプレイに表示する（Ｓ１２９）。ＩＰ電話端末１−１は、メール表示要求で指定された識別情報が付与されている電子メールを検索したら、この電子メールの内容の表示に先立ち、この電子メールのヘッダに含まれる属性情報を表示し、ＩＰ電話端末１−２の操作者に表示許可を求めるようにしてもよい。以上により、通話中のＩＰ電話端末１−１、１−２間において、同じ電子メールの内容が表示され、通話中の双方のＩＰ電話端末の操作者間で共通の電子メールの情報が共有される。
【００２４】
その後、ＩＰ電話端末１−１の操作者あるいはＩＰ電話端末１−２の操作者の終話操作によって、ＩＰ電話端末１−１、１−２間の通話路が切断されると（Ｓ１３０）、ＩＰ電話端末１−１、１−２は、電子メールの表示を終了する（Ｓ１３１、Ｓ１３２）。
【００２５】
つぎに、ＩＰ電話端末１の詳細を説明する。
【００２６】
図２は、ＩＰ電話端末１の概略機能構成図である。
【００２７】
図示するように、ＩＰ電話端末１は、ＩＰ網インターフェース部１０１と、通信制御部１０２と、マンマシンインターフェース部１０３と、ＩＰ電話処理部１０４と、メール処理部１０５と、メール保存部１０６と、アドレス情報記憶部１０７と、メール表示指示受付部１０８と、番号検索部１０９と、自動発信制御部１１０と、識別情報抽出部１１１と、メール表示要求送受信部１１２と、メール検索部１１３と、メール再送要求送受信部１１４と、を有する。
【００２８】
ＩＰ網インターフェース部１０１は、ＩＰ網２に接続するためのインターフェースである。
【００２９】
通信制御部１０２は、ＩＰ網２を介して他のＩＰ電話端末１との通信を制御する。
【００３０】
マンマシンインターフェース部１０３は、ユーザが、電話および電子メールを含む各種機能に対する操作を行うためのインターフェースであり、図示していないが、ハンドセット、ダイヤルキー等の操作部、およびＬＣＤ、ＬＥＤ等の表示部を備える。
【００３１】
ＩＰ電話処理部１０４は、ＩＰ電話端末として動作するために必要な処理を行う。具体的には、ＳＩＰ（Ｓｅｓｓｉｏｎ  Ｉｎｉｔｉａｔｉｏｎ  Ｐｒｏｔｏｃｏｌ）等の呼制御プロトコルに従い、ＩＰ網２経由で通話相手のＩＰ電話端末１と呼制御メッセージをやり取りすることにより、通話路の確立・解放を実施する。また、ＲＴＰ（Ｒｅａｌ−ｔｉｍｅ  Ｔｒａｎｓｐｏｒｔ  Ｐｒｏｔｏｃｏｌ）等の伝送プロトコルに従い、マンマシンインターフェース部１０３を介してユーザにより音声入力された音声信号を通話データに符号化し、この通話データを通話路経由で通話相手のＩＰ電話端末１に送信するとともに、通話相手のＩＰ電話端末１から通話路経由で通話データを受信し、この通話データを、音声信号に復号してマンマシンインターフェース部１０３から音声出力する。
【００３２】
メール処理部１０５は、電子メールクライアントとして必要な処理を行う。具体的には、ＳＭＴＰ（Ｓｉｍｐｌｅ  Ｍａｉｌ  Ｔｒａｎｓｆｅｒ  Ｐｒｏｔｏｃｏｌ）等のメール転送プロトコルに従いＩＰ網２経由で通話相手のＩＰ電話端末１に電子メールを送信する。また、ＰＯＰ３（Ｐｏｓｔ  Ｏｆｆｉｃｅ  Ｐｒｏｔｏｃｏｌ  Ｖｅｒｓｉｏｎ  ３）等のメール転送プロトコルに従いＩＰ網２経由で通話相手のＩＰ電話端末１から電子メールを受信する。また、操作者の指示に従い電子メールの閲覧、作成、保存等の処理を行う。
【００３３】
メール保存部１０６には、過去に送受信した電子メールが記憶される。
【００３４】
アドレス情報記憶部１０７には、通話相手となるＩＰ電話端末１毎に、このＩＰ電話端末１に付与された電話番号および電子メールアドレスが互いに対応付けられて記憶されている。
【００３５】
メール表示指示受付部１０８は、マンマシンインターフェース部１０３を介して操作者から、自ＩＰ電話端末１が表示中の電子メールを通話相手のＩＰ電話端末１に表示させる旨の指示であるメール表示指示を受け付ける。本実施の形態では、マンマシンインターフェース部１０３に表示中の電子メールに記述されている送信先あるいは送信元の電子メールアドレスの選択操作が操作者によって行われた場合に、操作者からメール表示指示を受け付けたものと判断している。
【００３６】
番号検索部１０９は、アドレス情報記憶部１０７を参照して、メール表示指示受付部１０８でメール表示指示を受け付けた際に選択された電子メールアドレスに対応付けられている電話番号を検索する。そして、ＩＰ電話処理部１０４を参照し、現在、通話路が確立されていない状態（非通話状態）ならば、この検索した電話番号を自動発信制御部１１０に渡し、その後、通話路が確立されたならば、識別情報抽出部１１１に対して識別情報の抽出を指示する。一方、現在、通話路が確立されている状態（通話状態）ならば、この検索した電話番号と通話相手のＩＰ電話端末１の電話番号とが一致するか否かを判断し、一致するならば、識別情報抽出部１１１に対して識別情報の抽出を指示する。
【００３７】
自動発信制御部１１０は、番号検索部１０９から受け取った電話番号へ発信するようにＩＰ電話処理部１０４を制御する。
【００３８】
識別情報抽出部１１１は、メール処理部１０５から、マンマシンインターフェース部１０３に表示中の電子メールを取得し、この電子メールから識別情報を抽出する。本実施の形態では、電子メールのヘッダに記述されているメッセージＩＤを識別情報として抽出する。
【００３９】
メール表示要求送受信部１１２は、識別情報抽出部１１１により抽出された電子メールの識別情報の指定を伴うメール表示要求を生成し、これをＤＴＭＦ信号に変換する。そして、ＩＰ電話処理部１０４を制御し、確立されている通話路を介して通話相手のＩＰ電話端末１に、このＤＴＭＦ信号に変換されたメール表示要求を送信する。また、メール表示要求送受信部１１２は、確立されている通話路を介して通話相手のＩＰ電話端末１から受信したＤＴＭＦ信号をメール表示要求に復元し、この復元したメール表示要求で指定されている電子メールの識別情報をメール検索部１１３に渡す。
【００４０】
メール検索部１１３は、メール表示要求送受信部１１２から受け取った識別情報により特定される電子メールをメール保存部１０６から検索する。そして、メール処理部１０５を制御し、検索した電子メールの内容をマンマシンインターフェース部１０３に表示する。ここで、メール表示要求送受信部１１２から受信した識別情報により特定される電子メールがメール保存部１０６に記憶されていない場合、メール検索部１１３は、メール再送要求送受信部１１４にメール再送要求を指示する。
【００４１】
メール再送要求送受信部１１４は、メール検索部１１３より受け付けたメール再送要求の指示に従い、自ＩＰ電話端末１の電子メールアドレスの指定を伴うメール再送要求を生成し、これをＤＴＭＦ信号に変換する。そして、ＩＰ電話処理部１０４を制御し、確立されている通話路を介して通話相手のＩＰ電話端末１に、このＤＴＭＦ信号に変換されたメール再送要求を送信する。また、メール再送要求送受信部１１４は、確立されている通話路を介して通話相手のＩＰ電話端末１から受信したＤＴＭＦ信号をメール再送要求に復元する。そして、メール処理部１０５を制御し、マンマシンインターフェース部１０３で表示中の電子メールを、このメール再送要求で指定されている電子メールアドレスにより特定される通話相手のＩＰ電話端末１に送信する。
【００４２】
図３は、ＩＰ電話端末１が通話相手と電子メールの情報を共有するための動作を説明するためのフロー図である。なお、本フローはＩＰ電話端末１の電源が投入され、ユーザの操作によってＩＰ電話端末１が電子メールをマンマシンインターフェース部１０３の表示部に表示している状態、またはユーザがマンマシンインターフェース部１０３のハンドセットを用いて通話相手と通話中の状態から開始する（Ｓ２００、Ｓ２３０）。
【００４３】
マンマシンインターフェース部１０３に電子メールが表示されている状態において（Ｓ２００でＹＥＳ）、操作者が、この表示中の電子メールに記述されている電子メールアドレスを選択すると、メール表示指示受付部１０８は、これを、操作者によるメール表示指示として受け付ける（Ｓ２０１でＹＥＳ）。そして、選択された電子メールアドレスを番号検索部１０９に通知する。
【００４４】
これを受けて、番号検索部１０９は、ＩＰ電話処理部１０４により通話路が確立され、通話中であるか否かを判断する（Ｓ２０２）。通話中でないならば（Ｓ２０２でＮＯ）、Ｓ２０３に進み、通話中ならば（Ｓ２０２でＹＥＳ）、Ｓ２２０に進む。
【００４５】
Ｓ２０３において、番号検索部１０９は、アドレス情報記憶部１０７を参照し、メール表示指示受付部１０８より受け取った電子メールアドレスに対応付けられている電話番号を検索する。そして、この電話番号を自動発信制御部１１０に渡す。これを受けて、自動発信制御部１１０は、ＩＰ電話処理部１０４を制御し、この電話番号へ発信して、この電話番号が付与された通話相手のＩＰ電話端末１との間に通話路を確立する（Ｓ２０４）。
【００４６】
それから、番号検索部１０９は、識別情報抽出部１１１に電子メールの識別情報の抽出を指示する。これを受けて、識別情報抽出部１１１は、メール処理部１０５からマンマシンインターフェース部１０３で表示中の電子メールを取得し、この電子メールのヘッダからメッセージＩＤを抽出する（Ｓ２０５）。そして、このメッセージＩＤを電子メールの識別情報としてメール表示要求送受信部１１２に渡す。
【００４７】
これを受けて、メール表示要求送受信部１１２は、この識別情報の指定を伴うメール表示要求を生成し、これをＤＴＭＦ信号に変換する。そして、ＩＰ電話処理部１０４を制御し、確立中の通話路を介して通話相手のＩＰ電話端末１に、このＤＴＭＦ信号に変換されたメール表示要求を送信する（Ｓ２０６）。
【００４８】
その後、メール再送要求送受信部１１４は、確立中の通話路を介して通話相手のＩＰ電話端末１からメール再送要求のＤＴＭＦ信号を受信したならば（Ｓ２０７でＹＥＳ）、メール処理部１０５を制御し、マンマシンインターフェース部１０３で表示中の電子メールを、このメール再送要求で指定されている電子メールアドレスにより特定される通話相手のＩＰ電話端末１に送信する（Ｓ２０８）。
【００４９】
また、メール処理部１０５は、ＩＰ電話処理部１０４により通話路が切断され、通話が終了したならば（Ｓ２０９でＹＥＳ）、マンマシンインターフェース部１０３で表示中の電子メールを閉じて、電子メールの内容表示を終了する（Ｓ２１０）。それから、Ｓ２００に戻る。
【００５０】
一方、Ｓ２２０において、番号検索部１０９は、アドレス情報記憶部１０７を参照し、メール表示指示受付部１０８より受け取った電子メールアドレスに対応付けられている電話番号を検索する。そして、ＩＰ電話処理部１０４から通話相手のＩＰ電話端末１の電話番号を入手し、この電話番号が、検索した電話番号と一致するか否かを判断する（Ｓ２２１）。
【００５１】
両者が一致しない場合（Ｓ２２１でＮＯ）、番号検索部１０９は、マンマシンインターフェース部１０３にエラーメッセージを表示する等の所定のエラー処理を実施し、その後、Ｓ２００に戻る。
【００５２】
一方、両者が一致する場合（Ｓ２２１でＹＥＳ）、番号検索部１０９は、識別情報抽出部１１１に電子メールの識別情報の抽出を指示する。これを受けて、識別情報抽出部１１１は、メール処理部１０５からマンマシンインターフェース部１０３で表示中の電子メールを取得し、この電子メールのヘッダからメッセージＩＤを抽出する（Ｓ２２２）。そして、このメッセージＩＤを電子メールの識別情報としてメール表示要求送受信部１１２に渡す。
【００５３】
これを受けて、メール表示要求送受信部１１２は、この識別情報の指定を伴うメール表示要求を生成し、これをＤＴＭＦ信号に変換する。そして、ＩＰ電話処理部１０４を制御し、確立中の通話路を介して通話相手のＩＰ電話端末１に、このＤＴＭＦ信号に変換されたメール表示要求を送信する（Ｓ２２３）。
【００５４】
その後、メール再送要求送受信部１１４は、確立中の通話路を介して通話相手のＩＰ電話端末１からメール再送要求のＤＴＭＦ信号を受信したならば（Ｓ２２４でＹＥＳ）、メール処理部１０５を制御し、マンマシンインターフェース部１０３で表示中の電子メールを、このメール再送要求で指定されている電子メールアドレスにより特定される通話相手のＩＰ電話端末１に送信する（Ｓ２２５）。
【００５５】
また、メール処理部１０５は、ＩＰ電話処理部１０４により通話路が切断され、通話が終了したならば（Ｓ２２６でＹＥＳ）、マンマシンインターフェース部１０３で表示中の電子メールを閉じて、電子メールの内容表示を終了する（Ｓ２１０）。それから、Ｓ２００に戻る。
【００５６】
一方、メール表示要求送受信部１１２は、マンマシンインターフェース部１０３に電子メールが表示されていない状態であり（Ｓ２００でＮＯ）、かつＩＰ電話処理部１０４により通話路が確立され、通話中である状態において（Ｓ２３０でＹＥＳ）、この通話路を介して通話相手のＩＰ電話端末１からメール表示要求のＤＴＭＦ信号を受信すると（Ｓ２３１でＹＥＳ）、このメール表示要求で指定されている電子メールの識別情報をメール検索部１１３に渡す。
【００５７】
これを受けて、メール検索部１１３は、メール保存部１０６を参照し、メール表示要求送受信部１１２から受け取った識別情報により特定される電子メールを検索する（Ｓ２３２）。そして、該当する電子メールを検索できたならば（Ｓ２３３でＹＥＳ）、メール処理部１０５を制御し、例えば操作者の表示許可の入力後に、この電子メールの内容をマンマシンインターフェース部１０３に表示する（Ｓ２３４）。一方、該当する電子メールがメール保存部１０６に記憶されていないならば（Ｓ２３３でＮＯ）、メール再送要求送受信部１１４に、メール表示要求送受信部１１２から受け取った識別情報を渡して、メール再送要求を指示する。
【００５８】
これを受けて、メール再送要求送受信部１１４は、自ＩＰ電話端末１の電子メールアドレスの指定、および、メール検索部１１３から受け取った識別情報の指定を伴うメール再送要求を生成し、これをＤＴＭＦ信号に変換する。そして、ＩＰ電話処理部１０４を制御し、確立されている通話路を介して通話相手のＩＰ電話端末１に、このＤＴＭＦ信号に変換されたメール再送要求を送信する（Ｓ２３５）。その後、メール処理部１０５は、メール表示要求で指定されていた電子メールを受信して、例えば操作者の表示許可の入力後に、この電子メールの内容をマンマシンインターフェース部１０３に表示する（Ｓ２３６）。
【００５９】
また、メール処理部１０５は、ＩＰ電話処理部１０４により通話路が切断され、通話が終了したならば（Ｓ２３７でＹＥＳ）、マンマシンインターフェース部１０３で表示中の電子メールを閉じて、電子メールの内容表示を終了する（Ｓ２１０）。それから、Ｓ２００に戻る。
【００６０】
以上、本発明の一実施の形態を説明した。
【００６１】
本実施の形態では、通話路が確立されているＩＰ電話端末１間において、電子メールを表示中の一方のＩＰ電話端末１が、この電子メールの識別情報の指定を伴うメール表示要求を、この電子メールの送信元あるいは送信先である他方のＩＰ電話端末１に送信し、他方のＩＰ電話端末１が、一方のＩＰ電話端末１より受信したメール表示要求で指定されている識別情報に対応付けられている電子メールを、過去に送受信した電子メールのなかから検索して表示する。このため、操作者は、ＩＰ電話端末１に電子メールを表示させながら通話している場合に、表示中の電子メールに記述されている電子メールアドレスの選択操作といった簡単な操作によりメール表示指示を入力することで、通話相手のＩＰ電話端末１に、同じ電子メールの内容を表示させることができる。しがたって、過去にやり取りした電子メールの内容を電話の通話相手と共有する際の利便性を向上させることが可能となる。
【００６２】
また、本実施の形態において、ＩＰ電話端末１は、非通話状態において、表示中の電子メールに記述されている電子メールアドレスの選択操作が行われた場合、この電子メールアドレスに対応付けられて予め記憶されている電話番号を検索し、この検索された電話番号へ自動発信する。そして、この電話番号により特定されるＩＰ電話端末１との間に通話路が確立されたならば、表示中の電子メールの識別情報の指定を伴うメール表示要求を通話相手のＩＰ電話端末１に送信する。このため、表示中の電子メールの電子メールアドレスの選択操作という簡単な操作によって、この電子メールアドレスが付与されたＩＰ電話端末１との間に通話路を確立し、かつこのＩＰ電話端末１に、自ＩＰ電話端末１で表示中の電子メールの内容を表示させることができる。したがって、過去にやり取りした電子メールの内容を電話の通話相手と共有する際の利便性をさらに向上させることが可能となる。
【００６３】
また、本実施の形態において、ＩＰ電話端末１は、通話状態において、表示中の電子メールに記述されている電子メールアドレスの選択操作が行われた場合、この電子メールアドレスに対応付けられて予め記憶されている電話番号を検索し、この検索した電話番号が通話相手のＩＰ電話端末１の電話番号と一致するか否かを調べる。そして、両者が一致するならば、表示中の電子メールの識別情報の指定を伴うメール表示要求を通話相手のＩＰ電話端末１に送信する。このため、通話相手のＩＰ電話端末１に対して、間違った電子メール（通話相手のＩＰ電話端末１以外を送信先あるいは送信元とする電子メール）の表示を要求する事態が発生するのを防止することができる。
【００６４】
また、本実施の形態において、ＩＰ電話端末１は、通話相手のＩＰ電話端末１より受信したメール表示要求で指定された識別情報に対応付けられている電子メールが既に削除されて保存されていない場合に、通話相手のＩＰ電話端末１にメール再送要求を送信して、通話相手のＩＰ電話端末１からその電子メールを受信して内容を表示する。また、ＩＰ電話端末１は、通話相手のＩＰ電話端末１からメール再送要求を受信した場合に、自ＩＰ電話端末１で表示中の電子メールを通話相手のＩＰ電話端末１に送信する。このため、ＩＰ電話端末１は、通話相手のＩＰ電話端末１に、自ＩＰ電話端末１で表示中の電子メールをより確実に表示させることが可能となる。
【００６５】
また、本実施の形態において、ＩＰ電話端末１は、通話路を介して通話相手のＩＰ電話端末１とメール表示要求およびメール再送要求をやり取りするので、通話状態にあるＩＰ電話端末１間で迅速かつ確実にメール表示要求およびメール再送要求をやり取りすることができる。
【００６６】
なお、本発明は上記の実施の形態に限定されるものではなく、その要旨の範囲内で数々の変形が可能である。
【００６７】
例えば、上記の実施の形態において、ＩＰ電話端末１は、通話路を介して通話相手のＩＰ電話端末１とメール表示要求およびメール再送要求をやり取りしている。しかし、本発明はこれに限定されない。互いのＩＰアドレスを把握できているならば、通話路を介さないでメール表示要求およびメール再送要求をやり取りするようにしてもよい。
【００６８】
また、上記の実施の形態では、電子メールの識別情報として、電子メールのヘッダに記述されているメッセージＩＤを使用しているが、本発明はこれに限定されない。電子メールの識別情報は、電子メールを一意に識別できるものであればよく、例えば、電子メールのヘッダに記述されている送信先アドレス、送信元アドレス、および送信日時の組合せを電子メールの識別情報として用いてもよい。
【００６９】
また、上記の実施の形態において、図３に示すＩＰ電話端末１の機能構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実現されるものでもよいし、あるいはＤＳＰ（Ｄｉｇｉｔａｌ  Ｓｉｇｎａｌ  Ｐｒｏｃｅｓｓｏｒ）などの計算機によりソフトウエア的に実現されるものでもよい。または、ＣＰＵ、メモリ、ＨＤＤ、ＤＶＤ−ＲＯＭ等の補助記憶装置、およびＮＩＣ（Ｎｅｔｗｏｒｋ  Ｉｎｔｅｒｆａｃｅ  Ｃａｒｄ）、モデム等の通信インターフェースを備えたＰＣ（Ｐｅｒｓｏｎａｌ  Ｃｏｍｐｕｔｅｒ）等の汎用コンピュータにおいて、ＣＰＵが所定のプログラムを補助記憶装置からメモリ上にロードして実行することで実現されるものでもよい。
【００７０】
また、上記の実施の形態では、本発明をＩＰ電話端末１に適用した場合を例にとり説明しているが、本発明はこれに限定されない。本発明は、携帯電話端末等の様々な電話端末に広く適用可能である。
【符号の説明】
【００７１】
１、１−１、１−２：ＩＰ電話端末、  ２：ＩＰ網、  １０１：ＩＰ網インターフェース部、  １０２：通信制御部、  １０３：マンマシンインターフェース部、  １０４：ＩＰ電話処理部、  １０５：メール処理部、  １０６：メール保存部、  １０７：アドレス情報記憶部、  １０８：メール表示指示受付部、  １０９：番号検索部、  １１０：自動発信制御部、  １１１：識別情報抽出部、  １１２：メール表示要求送受信部、  １１３：メール検索部、  １１４：メール再送要求送受信部
【図１】
0005838882.tif 000002
【図２】
0005838882.tif 000003
【図３】
0005838882.tif 000004